(57)【要約】  【課題】偏荷重の発生をなくすことで成形ロールや軸受部の耐久性向上とさらなる加工精度の向上を図ったハイポイドリングギヤの製造方法を提供する。  【解決手段】リング状の歯車素材Ｗ１，Ｗ２を二つ一組としてマンドレル１と成形ロール２とで挟み、成形ロール２を駆動側として回転させながら矢印Ｐ方向に押し込み、ロール圧延により所定の断面形状に成形する。二つの歯車素材Ｗ１，Ｗ２はその背面Ｂ，Ｂ同士を突き合わせた状態で同時に加工を施す。  【選択図】  図３
2005296974.tif 000002
【特許請求の範囲】
【請求項１】
リング状の歯車素材をその内外周からマンドレルと成形ロールとで挟んでロール圧延を施すことによりかさ歯車を製造する方法であって、
二つの歯車素材の軸心が一致するように両者を互いに逆向きに突き合わせた状態で同時にロール圧延を施すことを特徴とするかさ歯車の製造方法。
【請求項２】
二つの歯車素材の背面同士を突き合わせた状態でロール圧延を施すことを特徴とする請求項１に記載のかさ歯車の製造方法。
【請求項３】
二つの歯車素材の歯面側同士を突き合わせた状態でロール圧延を施すことを特徴とする請求項１に記載のかさ歯車の製造方法。
【発明の詳細な説明】
【技術分野】
【０００１】
本発明は、かさ歯車の製造方法に関し、特にリング状の歯車素材をその内外周からマンドレルと成形ロールとで挟んでロール圧延を施すことによりかさ歯車を製造する方法に関するものである。
【０００２】
なお、ここでいうかさ歯車とは、まがりばかさ歯車に類似した形態のハイポイドギヤをも含む概念で使用するものとする。
【背景技術】
【０００３】
比較的大型の歯車部品であるハイポイドリングギヤを製造するにあたり、熱間鍛造粗材を冷間にてローリング加工する技術が特許文献１で提案されている。
【０００４】
この従来の製造法では、図１，２に示すように、荒加工後のリング状の歯車素材Ｗをその内外周から工具であるマンドレル１１と成形ロール１２とで挟んだ上で、成形ロール１２を駆動側、歯車素材Ｗおよびマンドレル１１をそれぞれ従動側として回転させながら、成形ロール１２を矢印Ｐ方向に押し込むことでいわゆる回転成形によるロール圧延を施すもので、部分加工であるために成形力が小さくて済み、それ故に冷間での成形が可能となるとともに、高い寸法精度が得られることになる。
【０００５】
すなわち、上記工法は、リング状の歯車素材Ｗのうち成形ロール１２とマンドレル１１とで挟まれた部分の断面積を減少させながら徐々に円周方向に圧延する方式であることから、上記の断面積の減少は歯車素材Ｗの周方向での材料流動（塑性流動）となり、歯車素材Ｗは次第に拡径化されながら所定寸法に仕上げられることになる。なお、歯面となるべき頂部平面Ｔでの歯切り加工は後工程にて行われる。また、加工の進行に伴い歯車素材Ｗの背面Ｂ側では余肉部（クロスハッチングを施した部分）Ｑの発生が許容され、同時にその余肉部Ｑのほか頂部平面Ｔ側のコーナー部ではばりｂの発生が容認され、これらも後工程であるトリミング工程において切断除去される。
【特許文献１】特開昭６３−１３７５３４号公報（第１図）
【発明の開示】
【発明が解決しようとする課題】
【０００６】
上記のような加工形態において、図２から明らかなようにリング状の歯車素材Ｗの断面形状は軸直角平面を基準とした場合に左右非対象形状であって、且つ成形ロール１２の押し込み方向Ｐと歯車素材Ｗの背面Ｂ側がほぼ平行であるのに対し、成形ロール１２の押し込み方向Ｐに対して歯面となるべき頂部平面Ｔが傾斜していることから、成形ロール１２およびマンドレル１１は加工反力としてスラスト方向（軸心方向）の荷重成分（分力）Ｆを受けることになる。
【０００７】
これは、成形ロール１２およびマンドレル１１が荷重成分Ｆと同方向（スラスト方向）の偏荷重を常に受けていることにほかならず、結果として特に成形ロール１２自体のほかその成形ロール１２およびマンドレル１１を支持している軸受部の負担が大きく、特に成形ロール１２や軸受部の耐久性に欠けるという問題がある。
【０００８】
また、上記の偏荷重のために成形ロール１２およびマンドレル１１が軸心方向で位置ずれを生じやすく、さらなる加工精度の向上が望めない。
【０００９】
本発明はこのような課題に着目してなされたものであり、特に上記のような偏荷重の発生をなくすことで成形ロールや軸受部の耐久性向上とさらなる加工精度の向上を図った製造方法を提供しようとするものである。
【課題を解決するための手段】
【００１０】
請求項１に記載の発明は、リング状の歯車素材をその内外周からマンドレルと成形ロールとで挟んでロール圧延を施すことによりかさ歯車を製造する方法として、二つの歯車素材の軸心が一致するように両者を互いに逆向きに突き合わせた状態で同時にロール圧延を施すことを特徴とする。
【００１１】
この場合、請求項２に記載のように、二つの歯車素材の背面同士を突き合わせてもよく、また請求項３に記載のように、二つの歯車素材の歯面側同士を突き合わせてもよい。
【００１２】
ここで、二つ一組の歯車素材を互いに逆向きに突き合わせた状態とするのは、リング状の歯車素材の断面形状が軸直角平面を基準とした場合に左右非対象形状であっても、二つ一組とすれば総断面形状が実質的に左右対称形状となることに基づいている。
【００１３】
したがって、少なくとも請求項１に記載の発明では、二つ一組としたリング状の歯車素材をその内外周からマンドレルと成形ロールとで挟んで従来と同様にロール圧延を施した場合、個々の歯車素材はその断面形状が軸直角平面を基準とした場合に左右非対象形状であるが故に従来と同様にスラスト方向の荷重成分（分力）が発生することになるものの、二つの歯車素材を突き合わせた総断面形状が左右対称形状であるため、それぞれの歯車素材側で発生するスラスト力が相互に打ち消し合うかたちとなる。その結果、加工に直接関与している成形ロールおよびマンドレルには従来のようなスラスト方向の偏荷重は加わらないことになる。
【発明の効果】
【００１４】
請求項１に記載の発明によれば、加工中において工具である成形ロールおよびマンドレルにスラスト方向の偏荷重が加わることがないため、工具およびそれらを支持している軸受部が耐久性が向上するほか、加工中における工具の位置ずれも発生しないために加工精度が向上する。また、歯車素材を二つ一組として同時加工が行われるため、併せて生産性も向上する。
【発明を実施するための最良の形態】
【００１５】
図３は本発明のより具体的な実施の形態を示しており、先に述べたハイポイドリングギヤを製造する場合の例を示している。
【００１６】
基本となる加工形態は図１，２に示した従来のものと同様であって、成形工具である大径の成形ロール２と小径のマンドレル１とでハイポイドリングギヤとなるべきリング状の歯車素材Ｗ１，Ｗ２を挟み込み、成形ロール２を駆動側としてマンドレル１および歯車素材Ｗ１，Ｗ２を従動回転させながら、成形ロール２をマンドレル１側すなわち矢印Ｐ方向に押し込むことにより、いわゆる冷間での回転成形によるロール圧延を施すことで所定寸法に仕上げる。すなわち、歯車素材Ｗ１，Ｗ２をロール圧延に伴う周方向の塑性流動によって徐々に拡径させて所定寸法に仕上げる。
【００１７】
歯車素材Ｗ１，Ｗ２は熱間鍛造にて製造されたものであって、例えば長尺な鋼材を所定の長さに裁断したものを加熱炉にて１２００℃程度まで加熱した上で鍛造される。鍛造工程は一般的には潰し、荒地、仕上げの３工程をもって構成され、その後に中央部分にピアス加工を施して穴あけを行うことによりリング状の歯車素材Ｗ１，Ｗ２となる。
【００１８】
熱間鍛造の後、常法により空冷したままで上記のような冷間での回転成形が可能であれば製造コストの上で最も望ましいが、そのままでは冷間での成形が行えない場合には、回転成形を行う前に焼鈍などの熱処理を行うものとする。
【００１９】
さらに、上記のような回転成形に先立って、熱間鍛造もしくは熱処理で発生した酸化スケールをショットブラスト等の表面研創で除去する。そして、必要であれば歯車素材Ｗ１，Ｗ２に燐酸皮膜処理等の潤滑処理を施すものとする。
【００２０】
上記の回転成形によるロール圧延の際には、リング状の歯車素材Ｗ１，Ｗ２を二つ一組として、双方の歯車素材Ｗ１，Ｗ２同士の軸心を一致させながら、その双方の歯車素材Ｗ１，Ｗ２の歯面となるべき頂部平面Ｔと反対側の面である背面Ｂ，Ｂ同士を密着させるべく逆向きに突き合わせた状態でそれら二つの歯車素材Ｗ１，Ｗ２に同時に加工を施すものとする。
【００２１】
ここで、大径の成形ロール２は、図３に示すように、その円筒外周面に背面Ｂ，Ｂ同士を突き合わせた二つ一組の歯車素材Ｗ１，Ｗ２の断面形状の外周面側を受容し得る比較的深い環状溝２ａが彫り込まれている一方、マンドレル１の円筒外周面には同様に背面Ｂ，Ｂ同士を突き合わせた二つ一組の歯車素材Ｗ１，Ｗ２の断面形状の内周面側を受容し得る比較的浅い環状溝１ａが彫り込まれている。
【００２２】
したがって、成形ロール２を矢印Ｐで示す押し込み方向の正規位置まで押し込んだときには、双方の環状溝２ａ，１ａ同士によって製品断面形状に合致した閉断面形状のインプレッション部が形成され、このインプレッション部によって均一断面形状の歯車素材Ｗ１，Ｗ２として仕上げられる。なお、加工の際には、成形ロール２やマンドレル１および歯車素材Ｗ１，Ｗ２の冷却と潤滑のために潤滑剤を使用するものとし、冷却性を優先する場合には水溶性のクーラントを、潤滑性を優先する場合には油性のものをそれぞれ使用するものとする。
【００２３】
ここで、図３の加工形態では、図２と異なり余肉部Ｑは発生せず、双方の歯車素材Ｗ１，Ｗ２共に歯面となるべき頂部平面Ｔのコーナー部に図２の（Ｂ）と同様のばりｂが発生するだけとなり、これらのばりｂは後工程にて切断除去される。また、歯面となるべき頂部平面Ｔにおける歯切り加工も後工程にて行われる。
【００２４】
この実施の形態によれば、成形ロール２の押し込み方向Ｐに対して双方の歯車素材Ｗ１，Ｗ２の歯面となるべき頂部平面Ｔが傾斜しているため、加工中において成形ロール２およびマンドレル１にはスラスト方向の荷重成分（分力）Ｆが加わることになる。その一方、歯車素材Ｗ１，Ｗ２を二つ一組としてその背面Ｂ，Ｂ同士を突き合わせるように配置しているため、歯車素材Ｗ１，Ｗ２の総断面形状は軸直角平面を基準として左右対称形状となっており、上記のようなスラスト方向の荷重成分Ｆは相互に打ち消し合うことになる。したがって、成形ロール２およびマンドレル１には上記スラスト方向の荷重成分Ｆに基づく従来のような偏荷重が作用することがなくなり、それらの成形ロール２やマンドレル１を支持している軸受部の負担を軽減でき、成形ロール２やマンドレル１あるいは軸受部の耐久性が向上するとともに、成形ロール２およびマンドレル１の位置も安定したものとなって加工精度の向上に寄与できる。
【００２５】
また、加工後の歯車素材Ｗ１，Ｗ２には上記のように体積の小さなばりｂが発生するだけであり、図２の（Ｂ）に示したような余肉部Ｑは発生しないことから、歯車素材Ｗ１，Ｗ２の背面Ｂ側での加工取り代の削減によって素材の材料歩留まりの向上と加工工数を削減できることになる。
【００２６】
図４は本発明の第２の実施の形態を示し、歯車素材Ｗ１，Ｗ２を二つ一組として成形ロール２Ａとマンドレル１Ａとで同時に加工を行うことを前提としつつも、歯車素材Ｗ１，Ｗ２の歯面となるべき頂部平面Ｔ，Ｔ同士を突き合わせるようにした点で第１の実施の形態と異なっている。
【００２７】
すなわち、図４に示すように、二つの歯車素材Ｗ１，Ｗ２の向きを図３とは逆向きにして、二つの歯車素材Ｗ１，Ｗ２のうち歯面となるべき頂部平面Ｔの内周側のコーナー部同士を突き合わせるように配置して加工を行うものとする。この場合にも、二つ一組の歯車素材Ｗ１，Ｗ２の総断面形状は軸直角平面を基準とした場合に左右対称形状となり、その総断面形状に応じて成形ロール２Ａおよびマンドレル１Ａ側の環状溝２ｂ，１ｂの形状が決定されている。なお、この実施の形態の場合には図２の場合と同様に余肉部Ｑおよびばりｂの発生を容認するものとする。
【００２８】
したがって、この第２の実施の形態によれば、二つ一組の歯車素材Ｗ１，Ｗ２のうち歯面となるべき頂部平面Ｔが成形ロール２Ａの押し込み方向Ｐに対して傾斜しているため、第１の実施の形態と同様にスラスト方向の荷重成分Ｆが発生し、これが成形ロール２Ａの環状溝２ｂの中央部に位置している比較的薄肉の断面ウエッジ状の突条３に作用しようとするも、それらのスラスト方向の荷重成分Ｆ，Ｆ同士が相互に打ち消し合うかたちとなり、その突条３の負担となることもなければ、そのスラスト方向の加重成分Ｆに基づいて成形ロール２Ａやマンドレル１Ａの軸受部にスラスト方向の偏荷重が作用することもない。
【００２９】
逆に、図３に示した第１の実施の形態では、スラスト方向の荷重成分Ｆは成形ロール２の局部的な曲げ応力として作用するのに対して、図４に示した第２の実施の形態では、スラスト方向の荷重成分Ｆが成形ロール２Ａの局部的な曲げ応力として作用しなくなり、成形ロール２Ａの耐久性が一段と向上する。
【００３０】
ここで、上記の第１，第の実施の形態では、ハイポイドリングギヤの加工を例にとって説明したが、本発明はハイポイドリングギヤ以外の同種のかさ歯車の加工にも同様に適用することができる。
【００３１】
また、図３または図４のような二つ一組の歯車対Ｗ１，Ｗ２を複数組並べて、４個以上の歯車素材Ｗ１，Ｗ２の加工を同時に行うようにすれば生産性の向上の上で一段と有利となる。
【図面の簡単な説明】
【００３２】
【図１】回転成形によるロール圧延を基本としたハイポイドリングギヤの製造原理を示す説明図。
【図２】（Ａ）は図１の要部拡大断面図、（Ｂ）は成形後のハイポイドリングギヤの断面図。
【図３】本発明に係るかさ歯車の製造方法の第１の実施の形態を示す要部断面説明図。
【図４】本発明の第２の実施の形態を示す要部断面説明図。
【符号の説明】
【００３３】
１，１Ａ…成形ロール
２，２Ａ…マンドレル
Ｂ…背面
Ｔ…歯面となるべき頂部平面
Ｗ１，Ｗ２…歯車素材
【図１】
2005296974.tif 000003
【図２】
2005296974.tif 000004
【図３】
2005296974.tif 000005
【図４】
2005296974.tif 000006